(57)【要約】      （修正有）【課題】設置アンカーボルトＡＢを撤去するための設置アンカーボルト撤去工具を提供する。【解決手段】スペーサ部、インナー部を挿入することにより拡径可能なアウター部、インナー部、及びボルト部からなる設置アンカーボルトを撤去するためのアンカーボルト撤去工具１００において、上記工具上端に螺旋回し部６０を有し、かつ、螺旋回し部６０に心棒２０が接合されてなり、その中央部に上下スライド可能に挿入された慣性打撃体５０を有すると共に、上記アウター部の内径の螺旋切りを行うタッピング切先１０を上記工具の下端に取り付けてアンカーボルト撤去工具を構成する。【選択図】図３
0003150420.tif 000002
【実用新案登録請求の範囲】
【請求項１】
スペーサ部、インナー部を挿入することに拡径可能なアウター部、インナー部、及びボルト部からなる設置アンカーボルトを撤去するためのアンカーボルト撤去工具において、
（Ａ）当該工具上端に螺旋回し部を有し、
（Ｂ）かつ、螺旋回し部に心棒が接合されてなり、その中央部に上下スライド可能に挿入された慣性打撃体を有すると共に、
（Ｃ）当該アウター部の内径の螺旋切りを行うタッピング切先が当該工具の下端に取り付けられたことを特徴とするアンカーボルト撤去工具。
【請求項２】
当該スペーサ部、当該アウター部、当該インナー部が、ボルト貫通内空を有しており、先ず当該スペーサ部、その次に当該アウター部を心棒が貫通し、最後に当該インナー部を心棒が貫通し螺旋接合することを特徴とする請求項１に記載のアンカーボルト撤去工具。
【請求項３】
当該アウター部の内空下部に当該インナー部を挿入することにより当該アウター部下部を拡径することを特徴とする請求項１〜２のいずれかに記載のアンカーボルト撤去工具。
【請求項４】
当該アウター部の下部に、１又は２以上のスリットが、長手方向に設けられており、当該アウター部の内空下部に当該インナー部を挿入することにより当該アウター部下部を拡径することを特徴とする請求項１〜３のいずれかに記載のアンカーボルト撤去工具。
【請求項５】
当該スペーサ部とボルト頭部の間に、ワッシャーが設けられていることを特徴とする請求項１〜４のいずれかに記載のアンカーボルト撤去工具。
【請求項６】
コンクリートのアンカーボルト穴に設置された設置アンカーボルトの撤去に際して、当該ボルト部、スペーサ部の順に撤去した後に、残った当該アウター部と当該インナー部のうち、当該アウター部の内径部に対し、タッピング切先を当て、螺旋回し部を回転させることにより、螺旋切りを行い、その後当該慣性打撃体を上向きに急激にスライドさせて螺旋回し部下部に慣性打撃を加えて、残った当該アウター部を引き抜いて撤去することを特徴とする請求項１〜５のいずれかに記載のアンカーボルト撤去工具。
【請求項７】
当該慣性打撃体と当該タッピング切先の間に、ストッパー部が設けられていることを特徴とする請求項１〜６のいずれかに記載のアンカーボルト撤去工具。
【請求項８】
コンクリートのアンカーボルト穴に設置された設置アンカーボルトの撤去に際して、当該ボルト部、スペーサ部の順に撤去した後に、残った当該アウター部と当該インナー部のうち、当該インナー部に対し、撤去した当該ボルト部を再度螺旋接続し、その後当該ボルト頭部に、アンカーボルト撤去工具の当該タッピング切先が上向きになるように、当該螺旋回し部を当てて当該慣性打撃体を上向きに急激にスライドさせてストッパー部に慣性打撃を加えて、最後に残った当該インナー部を引き抜いて撤去することを特徴とする請求項１〜７のいずれかに記載のアンカーボルト撤去工具。
【考案の詳細な説明】
【技術分野】
【０００１】
本考案は、設置アンカーボルトを撤去するためのアンカーボルト撤去工具に関する。
【０００２】
より詳しくは、スペーサ部、インナー部を挿入することに拡径可能なアウター部、インナー部、及びボルトからなる設置アンカーボルトを撤去するためのアンカーボルト撤去工具に関する。
【背景技術】
【０００３】
従来、コンクリート床に設備等を設置する場合、コンクリート床にアンカーボルト穴を開けた後にアンカーボルトを埋設すると共にアンカーボルト周囲に、樹脂等を注入してアンカーボルトを所定位置に設置した後に、設備等を固定する方法等が知られていた。
【０００４】
しかし、設備等を撤去する必要に迫られる場合には、同時に設置アンカーボルトも撤去を要求されることが有る。この理由は、設置アンカーボルトを埋設したままであると、次に新規な設備等をコンクリートに設置しようとしても、新規な設備等設置業者には、以前に設置された設置アンカーボルトの位置が不明であることが殆どであり、新規な設備等の設置工事を開始して初めて、以前に設置された設置アンカーボルトの位置が判明することが多い。
【０００５】
しかし、設置アンカーボルトの位置が判明したとしても、設置アンカーボルトがどのような仕様で設置されているか分からず、設置アンカーボルトを容易に撤去することができず、新規な設備等の設置工事の遂行に大きな支障を起こしていた。
【０００６】
このような場合、新規な設備等の設置設計を再度やり直すこと、設置アンカーボルトの周りのコンクリートをハツって再度打ち直すこと等に繋がり、時間と労力が加重され、コストアップに繋がっていた。
【０００７】
かかる状況に鑑み、出願人は、従来技術を調査した結果、意外にも、アンカーボルト設置工具については、多くの先行技術文献を発見したが、設置アンカーボルト撤去具については、先行技術文献を発見することができなかった。
【０００８】
特に、スペーサ部、インナー部を楔挿入することにより拡径可能なアウター部、インナー部、及びボルトからなる設置アンカーボルトを撤去するためのアンカーボルト撤去工具ついては、先行技術文献を発見することができなかった。
【考案の開示】
【考案が解決しようとする課題】
【０００９】
本考案が解決しようとする課題は、設置アンカーボルトを撤去するための設置アンカーボルト撤去工具を提供することである。
【００１０】
本考案が解決しようとする課題は、より具体的には、スペーサ部、インナー部を挿入することにより拡径可能なアウター部、インナー部、及びボルトからなる設置アンカーボルトを撤去するためのアンカーボルト撤去工具を提供することである。
【課題を解決するための手段】
【００１１】
課題を解決するための手段は、本願の［実用新案登録請求の範囲］の各請求項に記載の考案である。
【００１２】
実用新案登録請求の範囲、明細書、図面等の用語の解釈上の疑義を解消すべく、以下用語の説明を行うこととする。
【００１３】
＜用語の説明＞
○アンカーボルト撤去具とは、コンクリートのアンカーボルト用穴から、設置アンカーボルトを撤去するための工具をいう。
【００１４】
より具体的には、コンクリートのアンカーボルト用穴から、スペーサ部、インナー部を挿入することにより拡径可能なアウター部、インナー部、及びボルト部からなる設置アンカーボルトを撤去するための工具をいう。
○設置アンカーボルトとは、コンクリートのアンカーボルト穴に設置されたままのアンカーボルトをいう。具体的には、コンクリートに設置されたままのスペーサ部、インナー部を挿入することにより拡径可能なアウター部、インナー部、及びボルト部からなるコンクリートのアンカーボルト穴に設置されたアンカーボルトをいう。
○スペーサ部とは、コンクリートにアンカーボルト用穴を開けた後、アウター部の中にインナー部を挿入する際に、アウター部を上から押さえつける機能を奏する部分をいう。
○インナー部とは、拡径可能なアウター部に楔挿入することによりアウター部を拡径する機能を奏する部分をいう。
○アウター部とは、コンクリートにアンカーボルト用穴を開けた後、アウター部の中にインナー部を挿入することにより、アウター部が拡径されてアンカーボルト用穴と接圧されて設置アンカーボルトが引抜力に抵抗する機能を有する部分をいう。
【００１５】
アウター部の下部には、１又は２以上のスリットが長手方向に設けられており、スリットを設けたことにより、インナー部がアウター部下部に楔挿入されて、アウター部が拡径され易い構造になっている。
○ボルト部とは、本明細書では、ボルト頭部（ボルトの頭部ともいう。）とボルトとからなる。
○ワッシャーとは、ボルトを締めるとき、ボルト頭部の下に挟む薄い金属板をいう。ゆるみ止めや材料表面の保護のために用いられる。
○螺旋回し部とは、アウター部の内径のねじ切りを行うに際し、タッピング切先を回すための工具をいう。
○心棒とは、螺旋回し部の下部に一体接続され、慣性打撃体を挿入後に、ストッパーを固定し、タッピング切先部をタップ取付具と共に取り付けるものをいう。
○慣性打撃体とは、心棒に貫通されるものをいい、以下のように用いられる。
（１）当該慣性打撃体を上向きに急激にスライドさせて、螺旋回し部下部に慣性打撃を加えて、残った当該アウター部を引き抜いて撤去するために用いられる。
（２）当該インナー部に対し、撤去した当該ボルト部を再度螺旋接続し、その後当該ボルト頭部に、アンカーボルト撤去工具の当該タッピング切先が上向きになるように、当該螺旋回し部を当てて当該慣性打撃体を上向きに急激にスライドさせてストッパー部に慣性打撃を加えて、最後に残った当該インナー部を引き抜いて撤去するために用いられる。
○タッピング切先とは、設置アンカーボルトの残ったアウター部の内径のねじ切りを行うための部分をいう。
○ストッパー部とは、タップ取付具（タッピング）切先と慣性打撃体の間に固定設置され
る打撃音防音材をいう。当該慣性打撃体を上向きに急激にスライドさせてストッパー部に慣性打撃を加えて、最後に残った当該インナー部を引き抜いて撤去するために用いられる。
＊＊＊＊＊＊＊＊＊＊＊＊＊＊＊＊＊＊＊＊＊＊＊＊＊＊＊＊＊＊＊＊＊＊＊＊＊＊＊＊
本考案者は、上記の従来の設置アンカーボルトが撤去されないことの各種問題点に鑑み、鋭意検討を重ねて、本考案を完成したものである。
【００１６】
課題を解決するための手段は、本願の実用新案登録請求の範囲の各請求項に記載の考案であり、その具体的な解決手段は、以下の通りである。
○第１の考案（請求項１に記載の考案）
上記の課題を解決するための第１の考案（請求項１に記載の考案）は、
スペーサ部、インナー部を挿入することにより拡径可能なアウター部、インナー部、及びボルト部からなる設置アンカーボルトを撤去するためのアンカーボルト撤去工具において、
（Ａ）当該工具上端に螺旋回し部を有し、
（Ｂ）かつ、螺旋回し部に心棒が接合されてなり、その中央部に上下スライド可能に楔挿入された慣性打撃体を有すると共に、
（Ｃ）当該アウター部の内径の螺旋切りを行うタッピング切先が当該工具の下端に取り付けられたことを特徴とするアンカーボルト撤去工具である。
○第２の考案（請求項２に記載の考案）
上記の課題を解決するための第２の考案（請求項２に記載の考案）は、
当該スペーサ部、当該アウター部、当該インナー部が、ボルト貫通内空を有しており、先ず当該スペーサ部、その次に当該アウター部を心棒が貫通し、最後に当該インナー部を心棒が貫通し螺旋接合することを特徴とする請求項１に記載のアンカーボルト撤去工具である。
○第３の考案（請求項３に記載の考案）
上記の課題を解決するための第３の考案（請求項３に記載の考案）は、
当該アウター部の内空下部に当該インナー部を挿入することにより当該アウター部下部を拡径することを特徴とする請求項１〜２のいずれかに記載のアンカーボルト撤去工具である。
○第４の考案（請求項４に記載の考案）
上記の課題を解決するための第４の考案（請求項４に記載の考案）は、
当該アウター部の下部に、１又は２以上のスリットが、長手方向に設けられており、当該アウター部の内空下部に当該インナー部を挿入することにより当該アウター部下部を拡径することを特徴とする請求項１〜３のいずれかに記載のアンカーボルト撤去工具である。
○第５の考案（請求項５に記載の考案）
上記の課題を解決するための第５の考案（請求項５に記載の考案）は、
当該スペーサ部とボルト頭部の間に、ワッシャーが設けられていることを特徴とする請求項１〜４のいずれかに記載のアンカーボルト撤去工具である。
○第６の考案（請求項６に記載の考案）
上記の課題を解決するための第６の考案（請求項６に記載の考案）は、
コンクリートのアンカーボルト穴に設置された設置アンカーボルトの撤去に際して、当該ボルト部、スペーサ部の順に撤去した後に、残った当該アウター部と当該インナー部のうち、当該アウター部の内径部に対し、タッピング切先を当て、螺旋回し部を回転させることにより、螺旋切りを行い、その後当該慣性打撃体を上向きに急激にスライドさせて螺旋回し部下部に慣性打撃を加えて、残った当該アウター部を引き抜いて撤去することを特徴とする請求項１〜５のいずれかに記載のアンカーボルト撤去工具である。
○第７の考案（請求項７に記載の考案）
上記の課題を解決するための第７の考案（請求項７に記載の考案）は、
当該慣性打撃体と当該タッピング切先の間に、ストッパー部が設けられていることを特徴とする請求項１〜６のいずれかに記載のアンカーボルト撤去工具である。
○第８の考案（請求項８に記載の考案）
上記の課題を解決するための第８の考案（請求項８に記載の考案）は、
コンクリートのアンカーボルト穴に設置された設置アンカーボルトの撤去に際して、当該ボルト部、スペーサ部の順に撤去した後に、残った当該アウター部と当該インナー部のうち、当該インナー部に対し、撤去した当該ボルト部を再度螺旋接続し、その後当該ボルト頭部に、アンカーボルト撤去工具の当該タッピング切先が上向きになるように、当該螺旋回し部を当てて当該慣性打撃体を上向きに急激にスライドさせてストッパー部に慣性打撃を加えて、最後に残った当該インナー部を引き抜いて撤去することを特徴とする請求項１〜７のいずれかに記載のアンカーボルト撤去工具である。
【考案の効果】
【００１７】
本考案に係る、アンカーボルト撤去工具は、上記のような特徴的構成用件から構成され、特徴的構成用件に応じた、以下のような本願考案特有の効果を奏する。
【００１８】
また、上記のような特徴的構成用件から構成されたアンカーボルト撤去工具によれば、設置アンカーボルトを撤去するための設置アンカーボルト撤去工具を提供するという本願考案の課題を十分解消することができた。
○第１の考案の効果
第１の考案によれば、
スペーサ部、インナー部を挿入することに拡径可能なアウター部、インナー部、及びボルト部からなる設置アンカーボルトを撤去するためのアンカーボルト撤去工具において、
（Ａ）当該工具上端に螺旋回し部を有し、
（Ｂ）かつ、螺旋回し部に心棒が接合されてなり、その中央部に上下スライド可能に挿入された慣性打撃体を有すると共に、
（Ｃ）当該アウター部の内径の螺旋切りを行うタッピング切先が当該工具の下端に取り付けられたこと特徴とするアンカーボルト撤去工具
という特徴的な構成要件により、
スペーサ部、インナー部を挿入することに拡径可能なアウター部、インナー部、及びボルト部からなる設置アンカーボルトを撤去するためのアンカーボルト撤去工具を提供することができた。
【００１９】
すなわち、本考案が解決しようとする課題を達成することができ、当業者が予測不可能な顕著な効果を奏することができた。
○第２の考案の効果
第２の考案によれば、当該スペーサ部、当該アウター部、当該インナー部が、ボルト貫通内空を有しており、先ず当該アウター部、その次に当該インナー部、その次に当該スペーサ部と順に、それぞれのボルト貫通内空を貫通すること、すなわち、本考案の構成をより明確化したことにより、本考案が解決しようとする課題を達成することができ、当業者が予測不可能な顕著な効果を奏することができた。
○第３の考案の効果
第３の考案によれば、当該アウター部の内空下部に当該インナー部を挿入することにより当該アウター部下部を拡径することの特徴的構成要件により、本考案が解決しようとする課題を達成することができ、当業者が予測不可能な顕著な効果を奏することができた。
○第４の考案の効果
第４の考案によれば、当該アウター部の下部に、１又は２以上のスリットが、長手方向に設けられており、当該アウター部の内空下部に当該インナー部を挿入することにより当該アウター部下部を拡径するという特徴的構成要件により、本考案が解決しようとする課題を達成することができ、当業者が予測不可能な顕著な効果を奏することができた。
○第５の考案の効果
第５の考案によれば、当該スペーサ部とボルト頭部の間に、ワッシャーが設けられていることにより、ゆるみ止めや材料表面の保護という当業者が予測不可能な顕著な効果を奏することができた。
○第６の考案の効果
第６の考案によれば、コンクリートのアンカーボルト穴に設置された設置アンカーボルトの撤去に際して、当該ボルト部、スペーサ部の順に撤去した後に、残った当該アウター部と当該インナー部のうち、当該アウター部の内径部対し、タッピング切先を当て、螺旋回し部を回転させることにより、螺旋切りを行い、その後当該慣性打撃体を上向き急激ににスライドさせて螺旋回し部下部に慣性打撃を加えて、残った当該アウター部を引き抜いて撤去することを特徴とする請求項１〜５のいずれかに記載のアンカーボルト撤去工具の特徴的構成要件とすることにより、
本考案が解決しようとする課題を達成することができ、当業者が予測不可能な顕著な効果を奏することができた。
○第７の考案の効果
第７の考案によれば、当該慣性打撃体と当該タッピング切先の間に、ストッパー部が設けられているという特徴的構成要件により、
本考案が解決しようとする課題を達成することができ、当業者が予測不可能な顕著な効果を奏することができた。
○第８の考案の効果
第８の考案によれば、コンクリートのアンカーボルト穴に設置された設置アンカーボルトの撤去に際して、当該ボルト部、スペーサ部の順に撤去した後に、残った当該アウター部と当該インナー部のうち、当該インナー部に対し、撤去した当該ボルト部を再度螺旋接続し、その後当該ボルト頭部に、アンカーボルト撤去工具の当該タッピング切先が上向きになるように、当該螺旋回し部を当てて当該慣性打撃体を上向きに急激にスライドさせてストッパー部に慣性打撃を加えて、最後に残った当該インナー部を引き抜いて撤去するという特徴的構成要件により、
本考案が解決しようとする課題を達成することができ、当業者が予測不可能な顕著な効果を奏することができた。
【考案を実施するための最良の形態】
【００２０】
以下、本考案に係る、アンカーボルト撤去工具に関する最良の実施形態について、図面を参照しながら説明する。
図１(ａ)は、本考案に係る、設置アンカーボルトの正面図である。
図１(ｂ)は、本考案に係る、ボルト部の正面図である。
図２は、本考案に係る、設置アンカーボルトの正面断面図である。
図３は、本考案に係る、アンカーボルト撤去工具の一部切欠正面図である。
図４は、本考案に係る、アンカーボルト撤去工具の平面図である。
図５は、本考案に係る、設置アンカーボルトがコンクリート内に埋設された状態の正面断面図である。
＊＊＊＊＊＊＊＊＊＊＊＊＊＊＊＊＊＊＊＊＊＊＊＊＊＊＊＊＊＊＊＊＊＊＊
＜設置アンカーボルト＞
図１及び図５に示すように、設置アンカーボルトＡＢは、コンクリートＣのアンカーボルトＢ穴Ｈに設置されている。
【００２１】
設置アンカーボルトＡＢは、スペーサ部ＳＰ、インナー部ＩＮを挿入することにより拡径可能なアウター部ＯＵ、インナー部ＩＮ、及びボルト部ＢＢから構成されている。
【００２２】
上記ボルト部ＢＢは、ボルト頭部Ｂ２とボルトねじ部Ｂ１から構成されている。
【００２３】
上記スペーサ部ＳＰ、上記アウター部ＯＵ、上記インナー部ＩＮは、ボルト貫通内空Ｅ０を有しており、共に円筒状に形成されている。
【００２４】
先ず上記アウター部ＯＵ、その次に上記インナー部ＩＮ、その次に上記スペーサ部ＳＰと順に、それぞれがボルト部ＢＢを貫通するように構成されている。
【００２５】
さらに、上記アウター部ＯＵの内空下部に上記インナー部ＩＮを楔挿入することにより上記アウター部ＯＵ下部を拡径するように構成されている。
【００２６】
例えば、上記アウター部ＯＵの下部に、１又は２以上のスリットＳｌが、長手方向に設けられており、上記アウター部ＯＵの内空下部に上記インナー部ＩＮを楔挿入することにより上記アウター部ＯＵ下部を拡径するように構成されている。
【００２７】
上記アウター部ＯＵ下部を拡径することにより、拡径アウター部ＯＵは、コンクリートＣのアンカーボルト穴Ｈと密着して、設置アンカーボルトＡＢに抜き出し力が作用しても抜けない構造となっている。
【００２８】
また、上記スペーサ部ＳＰとボルト頭部Ｂ２の間に、ワッシャーｗが設けられている。これは、ボルト頭Ｂ２が緩むことを防ぐためである。
＊＊＊＊＊＊＊＊＊＊＊＊＊＊＊＊＊＊＊＊＊＊＊＊＊＊＊＊＊＊＊＊＊＊＊
＜アンカーボルト撤去工具＞
アンカーボルト撤去工具１００は、螺旋回し部６０、心棒２０、慣性打撃体５０及びタッピング切先１０から構成されている。
【００２９】
アンカーボルト撤去工具１００は、下記のような特徴的構成となっている。
（Ａ）上記工具１００上端に螺旋回し部６０の一部に切欠１を有し、
（Ｂ）かつ、螺旋回し部６０に心棒２０が接合されてなり、その中央部に上下スライド可能に挿入された慣性打撃体５０を有すると共に、
（Ｃ）上記アウター部ＯＵの内径の螺旋切りを行うタッピング切先１０が上記工具の下端に取り付けられている。
【００３０】
コンクリートＣ内に設置された設置アンカーボルトＡＢの撤去に際して、上記ボルト部ＢＢ、スペーサ部ＳＰの順に撤去した後に、残った上記アウター部ＯＵと上記インナー部ＩＮのうち、上記アウター部ＯＵの内径部に対し、タッピング切先１０を当て、螺旋回し部６０を回転させることにより、螺旋切りを行い、その後上記慣性打撃体５０を上向きに急激にスライドさせて螺旋回し部６０下部に慣性打撃を加えて、残った上記アウター部ＯＵを引き抜いて撤去することを特徴とするアンカーボルト撤去工具１００が開示されている。
【００３１】
上記慣性打撃体５０と上記タッピング切先１０の間に、ストッパー部４０が設けられていることを特徴とするアンカーボルト撤去工具１００が開示されている。
【００３２】
コンクリートＣ内に設置された設置アンカーボルトＡＢの撤去に際して、上記ボルト部ＢＢ、スペーサ部ＳＰの順に撤去した後に、残った上記アウター部ＯＵと上記インナー部ＩＮのうち、上記インナー部ＩＮに対し、撤去した上記ボルト部ＢＢを再度螺旋接続し、その後上記ボルト頭部Ｂ２に、アンカーボルト撤去工具１００の上記タッピング切先１０が上向きになるように、上記螺旋回し部６０を当てて上記慣性打撃体５０を上向きに急激にスライドさせてストッパー部４０に慣性打撃Ｐを加えて、最後に残った上記インナー部ＩＮを引き抜いて撤去することを特徴とするアンカーボルト撤去工具１００が開示されている。
＊＊＊＊＊＊＊＊＊＊＊＊＊＊＊＊＊＊＊＊＊＊＊＊＊＊＊＊＊＊＊＊＊＊＊
＜アンカーボルト設置手順＞
＜設置アンカーボルト撤去手順＞を説明する前に、設置アンカーボルトに対する理解を容易にすするため、アンカーボルトが設置される手順を以下説明する。
（０−１）当該スペーサＳＰ部、当該アウターＯＵ部、当該インナーＩＮ部が、ボルト貫通内空ＥＯを有しており、先ず当該スペーサ部ＩＮ、その次に当該アウター部ＯＵを心棒２０が貫通し、最後に当該インナー部ＩＮを心棒２０が貫通し螺旋接合するようにする。
（０−２）当該ボルト頭部Ｂ２をスパナ（図示せず）で回転させて、インナー部ＩＮを引き寄せて、スペーサ部ＳＰとアウター部ＯＵを締め付け力が作用するようにする。
（０−３）当該ボルト頭部Ｂ２をスパナ（図示せず）で回転させて、インナー部ＩＮを引き寄せて、当該アウター部ＯＵの内空下部に当該インナー部ＩＮを挿入することにより当該アウター部ＯＵ下部を拡径させる。
（０−４）当該アウター部ＯＵ下部を拡径させることにより、アンカーボルト穴Ｈとアウター部ＯＵとを密着させて、ボルト部ＢＢに抜き出し力が作用しても、容易にはアンカーボルトＡＢを抜き出せないようにする。
（０−５）アンカーボルト設置工事が終了する。
＊＊＊＊＊＊＊＊＊＊＊＊＊＊＊＊＊＊＊＊＊＊＊＊＊＊＊＊＊＊＊＊＊＊＊
＜設置アンカーボルト撤去手順＞
以下、本件考案に係る、アンカーボルト撤去工具１００を、コンクリートＣ内に設置された設置アンカーボルトＡＢを撤去するための手順を以下説明する。
（１−１）スパナ（図示せず）により、ボルト頭部Ｂ２を、緩める方向に回転させて、ボルト部ＢＢをコンクリートＣ内のアンカーボルト穴Ｈから抜き出す。
（１−２）ワッシャーｗを取り除く。
（１−３）スペーサ部ＳＰをラジオペンチ等の工具を使って、コンクリートＣ内のアンカーボルト穴Ｈから取り出す。
【００３３】
従来においては、アウター部ＯＵは、アンカーボルト穴Ｈのない面と固着した状態になっていて、アンカーボルト穴Ｈから容易に取り出すことができなかった。
【００３４】
また、インナー部ＩＮも、アウター部ＯＵの下に有るため、アンカーボルト穴Ｈから容易に取り出すことができなかった。
【００３５】
本考案に係る、アンカーボルト撤去工具１００を用いて、アンカーボルトを撤去する手順を以下に示す。
（２−１）上記アウターＯＵ部の内径部に対し、タッピング切先１０を当て、螺旋回し部６０を回転させることにより、螺旋切りを行い、その後上記慣性打撃体５０を上向きに急激にスライドさせて螺旋回し部６０下部に慣性打撃を加えて、残った上記アウターＯＵ部を引き抜いて撤去する。
（２−２）上記インナー部ＩＮに対し、撤去した上記ボルト部ＢＢを再度螺旋接続し、その後上記ボルト頭部Ｂ２に、アンカーボルト撤去工具１００の上記タッピング切先１０が上向きになるように、上記螺旋回し部６０を当てて上記慣性打撃体５０を上向きに急激にスライドさせてストッパー部４０に慣性打撃を加えて、最後に残った上記インナー部ＩＮを引き抜いて撤去する。
＊＊＊＊＊＊＊＊＊＊＊＊＊＊＊＊＊＊＊＊＊＊＊＊＊＊＊＊＊＊＊＊＊＊＊
以上の手順に示すように、本考案に係る、アンカーボルト撤去工具１００を用いることにより、従来においてコンクリートＣのアンカーボルト穴Ｈから容易に取り出すことができずに、コンクリートＣのアンカーボルト穴Ｈに残ったままであったアウター部ＯＵ及びインナー部ＩＮを取り出すことができたので、設置アンカーボルトＡＢの全ての構成部品をアンカーボルト穴Ｈから取り出すことができるという当業者が予測不可能な顕著な効果を奏することができた。
【００３６】
考案を実施するための最良の形態は、考案の効果に記載された当業者が予測不可能な顕著な効果を奏することができ、本考案が解決しようとする課題を全て達成することができた。
【図面の簡単な説明】
【００３７】
【図１】（ａ）は、本考案に係る、設置アンカーボルトの正面図である。
【００３８】
（ｂ）は、本考案に係る、ボルト部の正面図である。
【図２】は、本考案に係る、設置アンカーボルトの正面断面図である。
【図３】は、本考案に係る、アンカーボルト撤去工具の一部切欠正面図である。
【図４】は、本考案に係る、アンカーボルト撤去工具の平面図である。
【図５】は、本考案に係る、設置アンカーボルトがコンクリート内に埋設された状態の正面断面図である。
【符号の説明】
【００３９】
１００                          アンカーボルト撤去工具
１０                            タッピング切先
２０                            心棒
３０                            タップ取付具
４０                            ストッパー部
５０                            慣性打撃体
６０                            螺旋回し部
ＢＢ                            ボルト部
Ｂ１                            ボルトねじ部
Ｂ２                            ボルト頭部
ＳＰ                            スペーサ部
ＯＵ                            アウター部
ＩＮ                            インナー部
Ｓｌ                            スリット
Ｃ                              コンクリート
Ｈ                              アンカーボルト穴
Ｅ０                            ボルト貫通内空（スペーサ部ＳＰ、アウター部ＯＵ、インナー部）
【図１】
0003150420.tif 000003
【図２】
0003150420.tif 000004
【図３】
0003150420.tif 000005
【図４】
0003150420.tif 000006
【図５】
0003150420.tif 000007
【手続補正書】
【提出日】平成21年3月2日(2009.3.2)
【手続補正１】
【補正対象書類名】実用新案登録請求の範囲
【補正対象項目名】全文
【補正方法】変更
【補正の内容】
【実用新案登録請求の範囲】
【請求項１】
スペーサ部、インナー部を挿入することに拡径可能なアウター部、インナー部、及びボルト部からなる設置アンカーボルトを撤去するためのアンカーボルト撤去工具において、
（Ａ）当該工具上端に螺旋回し部を有し、
（Ｂ）かつ、螺旋回し部に心棒が接合されてなり、その中央部に上下スライド可能に挿入された慣性打撃体を有すると共に、
（Ｃ）当該アウター部の内径の螺旋切りを行うタッピング切先が当該工具の下端に取り付けられたことを特徴とするアンカーボルト撤去工具。
【請求項２】
当該スペーサ部、当該アウター部、当該インナー部が、ボルト貫通内空を有しており、先ず当該スペーサ部、その次に当該アウター部を心棒が貫通し、最後に当該インナー部を心棒が貫通し螺旋接合することを特徴とする請求項１に記載のアンカーボルト撤去工具。
【請求項３】
当該アウター部の内空下部に当該インナー部を挿入することにより当該アウター部下部を拡径することを特徴とする請求項１〜２のいずれかに記載のアンカーボルト撤去工具。
【請求項４】
当該アウター部の下部に、１又は２以上のスリットが、長手方向に設けられており、当該アウター部の内空下部に当該インナー部を挿入することにより当該アウター部下部を拡径することを特徴とする請求項１〜３のいずれかに記載のアンカーボルト撤去工具。
【請求項５】
当該スペーサ部とボルト頭部の間に、ワッシャーが設けられていることを特徴とする請求項１〜４のいずれかに記載のアンカーボルト撤去工具。
【請求項６】
当該慣性打撃体と当該タッピング切先の間に、ストッパー部が設けられていることを特徴とする請求項１〜５のいずれかに記載のアンカーボルト撤去工具。
【手続補正２】
【補正対象書類名】明細書
【補正対象項目名】００１６
【補正方法】変更
【補正の内容】
【００１６】
課題を解決するための手段は、本願の実用新案登録請求の範囲の各請求項に記載の考案であり、その具体的な解決手段は、以下の通りである。
○第１の考案（請求項１に記載の考案）
上記の課題を解決するための第１の考案（請求項１に記載の考案）は、
スペーサ部、インナー部を挿入することにより拡径可能なアウター部、インナー部、及びボルト部からなる設置アンカーボルトを撤去するためのアンカーボルト撤去工具において、
（Ａ）当該工具上端に螺旋回し部を有し、
（Ｂ）かつ、螺旋回し部に心棒が接合されてなり、その中央部に上下スライド可能に楔挿入された慣性打撃体を有すると共に、
（Ｃ）当該アウター部の内径の螺旋切りを行うタッピング切先が当該工具の下端に取り付けられたことを特徴とするアンカーボルト撤去工具である。
○第２の考案（請求項２に記載の考案）
上記の課題を解決するための第２の考案（請求項２に記載の考案）は、
当該スペーサ部、当該アウター部、当該インナー部が、ボルト貫通内空を有しており、先ず当該スペーサ部、その次に当該アウター部を心棒が貫通し、最後に当該インナー部を心棒が貫通し螺旋接合することを特徴とする請求項１に記載のアンカーボルト撤去工具である。
○第３の考案（請求項３に記載の考案）
上記の課題を解決するための第３の考案（請求項３に記載の考案）は、
当該アウター部の内空下部に当該インナー部を挿入することにより当該アウター部下部を拡径することを特徴とする請求項１〜２のいずれかに記載のアンカーボルト撤去工具である。
○第４の考案（請求項４に記載の考案）
上記の課題を解決するための第４の考案（請求項４に記載の考案）は、
当該アウター部の下部に、１又は２以上のスリットが、長手方向に設けられており、当該アウター部の内空下部に当該インナー部を挿入することにより当該アウター部下部を拡径することを特徴とする請求項１〜３のいずれかに記載のアンカーボルト撤去工具である。
○第５の考案（請求項５に記載の考案）
上記の課題を解決するための第５の考案（請求項５に記載の考案）は、
当該スペーサ部とボルト頭部の間に、ワッシャーが設けられていることを特徴とする請求項１〜４のいずれかに記載のアンカーボルト撤去工具である。
○第６の考案（請求項６に記載の考案）
上記の課題を解決するための第６の考案（請求項６に記載の考案）は、
当該慣性打撃体と当該タッピング切先の間に、ストッパー部が設けられていることを特徴とする請求項１〜５のいずれかに記載のアンカーボルト撤去工具である。
【手続補正３】
【補正対象書類名】明細書
【補正対象項目名】００１９
【補正方法】変更
【補正の内容】
【００１９】
すなわち、本考案が解決しようとする課題を達成することができ、当業者が予測不可能な顕著な効果を奏することができた。
○第２の考案の効果
第２の考案によれば、当該スペーサ部、当該アウター部、当該インナー部が、ボルト貫通内空を有しており、先ず当該アウター部、その次に当該インナー部、その次に当該スペーサ部と順に、それぞれのボルト貫通内空を貫通すること、すなわち、本考案の構成をより明確化したことにより、本考案が解決しようとする課題を達成することができ、当業者が予測不可能な顕著な効果を奏することができた。
○第３の考案の効果
第３の考案によれば、当該アウター部の内空下部に当該インナー部を挿入することにより当該アウター部下部を拡径することの特徴的構成要件により、本考案が解決しようとする課題を達成することができ、当業者が予測不可能な顕著な効果を奏することができた。
○第４の考案の効果
第４の考案によれば、当該アウター部の下部に、１又は２以上のスリットが、長手方向に設けられており、当該アウター部の内空下部に当該インナー部を挿入することにより当該アウター部下部を拡径するという特徴的構成要件により、本考案が解決しようとする課題を達成することができ、当業者が予測不可能な顕著な効果を奏することができた。
○第５の考案の効果
第５の考案によれば、当該スペーサ部とボルト頭部の間に、ワッシャーが設けられていることにより、ゆるみ止めや材料表面の保護という当業者が予測不可能な顕著な効果を奏することができた。
○第６の考案の効果
第６の考案によれば、当該慣性打撃体と当該タッピング切先の間に、ストッパー部が設けられているという特徴的構成要件により、
本考案が解決しようとする課題を達成することができ、当業者が予測不可能な顕著な効果を奏することができた。